(57)【要約】【課題】本発明の目的は、情報記録の書き換え回数が増えても信頼性の高い制御情報を記録する書き換え型光ディスクの記録方法及びドライブ装置を提供することにある。【解決手段】書き換え型光ディスクは、スパイラル状のトラックを、内周側から、内周制御データ記録領域、ユーザデータ記録領域、外周制御データ記録領域に分割されて管理される。書き換え型光ディスク記録方法は、制御情報記録ゾーン設定ステップと制御情報記録ステップと予定区画設定ステップとを備える。制御情報記録ゾーン設定ステップは、記録状態を示す制御情報が記録される制御情報記録ゾーンを内周制御データ記録領域のユーザデータ記録領域に近接する位置に設定する。制御情報記録ステップは、制御情報記録ゾーン内に複数区画含まれる記録区画の１区画に新たな制御情報を記録する。予定区画設定ステップは、次に制御情報が記録される予定記録区画を設定する。【選択図】図３
2007257686.tif 000002
【特許請求の範囲】
【請求項１】
制御情報が記録される制御情報記録ゾーンを内周制御データ記録領域のユーザデータ記録領域に近接する位置に設定する制御情報記録ゾーン設定ステップと、光ディスクの記録可能なスパイラル状のトラックは、内周側から、前記内周制御データ記録領域、前記ユーザデータ記録領域、外周制御データ記録領域に分割され、前記制御情報は、前記光ディスクの前記内周制御データ記録領域、前記ユーザデータ記録領域、及び前記外周制御データ記録領域の記録状態を示し、
設定された前記制御情報記録ゾーン内に複数区画含まれる記録区画の１区画に新たな前記制御情報を記録する制御情報記録ステップと、
前記制御情報が前記記録区画の１区画に記録された後に、次に前記制御情報が記録される予定記録区画を設定する予定区画設定ステップと
を備える
書き換え型光ディスク記録方法。
【請求項２】
前記制御情報記録ゾーン設定ステップで設定される前記制御情報記録ゾーンは、終了処理時に記録ピットが形成されていることが必要になる終了処理記録領域部分を含む
請求項１に記載の書き換え型光ディスク記録方法。
【請求項３】
前記記録区画は、複数のＥＣＣブロックを含み、前記ＥＣＣブロックは前記光ディスクにデータを記録するときの最小単位であり、
前記制御情報記録ステップは、前記複数のＥＣＣブロックのそれぞれに同じ前記制御情報を記録する
請求項１または請求項２に記載の書き換え型光ディスク記録方法。
【請求項４】
前記制御情報は、前記記録区画に記録される順番を示すカウント値を備える
請求項１から請求項３のいずれかに記載の書き換え型光ディスク記録方法。
【請求項５】
前記制御情報は、前記記録区画に記録された時に検出された欠陥を示す情報を更に備える
請求項１から請求項４のいずれかに記載の書き換え型光ディスク記録方法。
【請求項６】
前記予定区画設定ステップは、前記制御情報が記録される毎に、１区画ずつ外周側の前記記録区画を前記予定記録区画に設定するステップを含む
請求項１から請求項５のいずれかに記載の書き換え型光ディスク記録方法。
【請求項７】
前記予定区画設定ステップは、最外周側の記録区画に前記制御情報が記録されたとき、最内周側の記録区画を前記予定記録区画に割り当てるステップを含み、
前記制御情報記録ゾーンは循環的に使用される
請求項１から請求項６のいずれかに記載の書き換え型光ディスク記録方法。
【請求項８】
前記制御情報記録ゾーンの内周側に前記制御情報の複製が記録される制御情報複製ゾーンを設定する複製ゾーン設定ステップと、
最新の前記制御情報と、前記最新の前記制御情報が記録された前記記録区画を示す位置情報とを複製制御情報として前記制御情報複製ゾーンに記録する複製記録ステップと
をさらに備える
請求項１から請求項７のいずれかに記載の書き換え型光ディスク記録方法。
【請求項９】
前記制御情報複製ゾーンは、複数のＥＣＣブロックを含み、
前記複製記録ステップは、前記制御情報複製ゾーンの前記複数のＥＣＣブロックのうちの１ブロックに前記複製制御情報を記録するステップを含む
請求項８に記載の書き換え型光ディスク記録方法。
【請求項１０】
前記制御情報複製ゾーンは、前記制御情報記録ゾーン内に含まれる前記記録区画の区画数の１０分の１より少ないブロック数の前記ＥＣＣブロックを含む
請求項９に記載の書き換え型光ディスク記録方法。
【請求項１１】
前記複製記録ステップは、前記光ディスクが排出されるときに、前記複製制御情報を前記制御情報複製ゾーンに記録するステップを含む
請求項９から請求項１０のいずれかに記載の書き換え型光ディスク記録方法。
【請求項１２】
前記複製記録ステップは、前記制御情報複製ゾーンに含まれる前記複数のＥＣＣブロックを循環的に使用するステップを含む
請求項９から請求項１１のいずれかに記載の書き換え型光ディスク記録方法。
【請求項１３】
光ディスクにレーザ光を照射して情報を記録し、前記光ディスクで反射された反射光に基づいて、記録されている情報の再生信号を再生する光ヘッドと、前記光ディスクは、記録可能なスパイラル状のトラックを、内周側から、内周制御データ記録領域、ユーザデータ記録領域、及び外周制御データ記録領域に分割され、
前記再生信号に基づいて、前記光ディスクのアドレスを示す信号を抽出する信号検出部と、
前記アドレスを示す信号に基づいて、前記光ディスク内の位置を特定するアドレス判定部と、
前記アドレス判定部により特定された前記内周制御データ記録領域の前記ユーザデータ記録領域に近接する位置に設定された制御情報記録ゾーンに複数区画含まれる記録区画の１区画に前記光ディスクの記録状態を示す制御情報を記録し、次に前記制御情報が記録される予定記録区画を設定する制御情報記録部と
を具備する
光ディスクドライブ装置。
【請求項１４】
前記制御情報記録部は、前記複数区画含まれる記録区画を１区画ずつ循環的に前記予定記録区画に割り当てる
請求項１３に記載の光ディスクドライブ装置。
【請求項１５】
前記制御情報記録部は、前記制御情報記録ゾーンのさらに内周側に設けられた制御情報複製ゾーンに最新の前記制御情報と、前記最新の前記制御情報が記録された前記記録区画の位置を示す情報とを複製制御情報として記録する
請求項１３または請求項１４に記載の光ディスクドライブ装置。
【請求項１６】
前記制御情報複製ゾーンは、前記制御情報記録ゾーンに含まれる前記記録区画の区画数より少ない数の複数のＥＣＣブロックを含み、
前記制御情報記録部は、前記制御情報複製ゾーンに含まれる前記複数のＥＣＣブロックのうちの１ブロックに前記複製制御情報を記録する
請求項１５に記載の光ディスクドライブ装置。
【請求項１７】
前記制御情報記録部は、前記光ディスクが排出されるとき、前記複製制御情報を記録する
請求項１６に記載の光ディスクドライブ装置。
【請求項１８】
前記制御情報記録部は、前記制御情報複製ゾーンに含まれる前記複数のＥＣＣブロックを循環的に使用して前記複製制御情報を記録する
請求項１６または請求項１７に記載の光ディスクドライブ装置。
【発明の詳細な説明】
【技術分野】
【０００１】
本発明は、微小な光スポットによりデータの記録再生を行う書き換え型光ディスクの記録方法及びそのドライブ装置に関する。
【背景技術】
【０００２】
微小な光スポットによりデータの記録再生を行う光ディスク分野において、予めエンボス状のデータピット列が形成された再生専用のＲＯＭ（Ｒｅａｄ  Ｏｎｌｙ  Ｍｅｍｏｒｙ）媒体に続いて、データの記録が出来る光ディスクであるＣＤ−Ｒ（Ｃｏｍｐａｃｔ  Ｄｉｓｃ−Ｒｅｃｏｒｄａｂｌｅ）やＤＶＤ−Ｒ（Ｄｉｇｉｔａｌ  Ｖｅｒｓａｔｉｌｅ  Ｄｉｓｃ−Ｒｅｃｏｒｄａｂｌｅ）が広く普及している。また、記録されたデータを書き換えることも可能なＣＤ−ＲＷ（ＣＤ−ＲｅＷｒｉｔａｂｌｅ）やＤＶＤ−ＲＷ（ＤＶＤ−ＲｅＷｒｉｔａｂｌｅ）と呼ばれる光ディスクもある。さらに次世代のＤＶＤとして青色光源が用いられるＨＤ  ＤＶＤと呼ばれる規格も発行されている。
【０００３】
書き換え型光ディスクは、光ディスク基板にトラッキングのためのスパイラル状のグルーブトラックが形成され、その上に相変化材料を含む多層の記録層が形成されている。この記録層に高いパワーのレーザ光が集光され、部分的に相変化材料の結晶構造が変質することにより記録ピットが形成される。この記録ピットによりデータが記録されることになる。記録後は、エンボス状のデータピット列が形成されたＲＯＭ媒体と同じ構成のデータフォーマットになり、ほぼ同じ特性のサーボ信号を得ることができる。そのため、再生専用のドライブ装置でも容易に再生できる利点がある。
【０００４】
記録されたデータの消去は、データを記録するときより少し低いパワーのレーザ光を照射し、相変化材料の結晶構造を元に戻すことにより行われる。実際の動作では、消去動作が可能な記録パワーに、次に記録したいデータの記録パワーを加えて生成された波形のレーザ光が光ディスクに照射される。これにより、記録済みのデータが消去されて新しいデータが記録され、データの書き換えが可能になる。
【０００５】
書き換え型光ディスクは、データの記録に相変化材料の結晶構造の変化が利用されるため、書き換えを繰り返すと記録信号の特性が次第に劣化する。しかし、数百回から数千回程度の実用的な繰り返し回数を安価に実現できる利点がある。
【０００６】
図２に、書き換え型光ディスクの記録領域の構成例が示される。光ディスク１は、半径方向に、内周制御データ記録領域３、ユーザデータ記録領域４、外周制御データ記録領域５に分割されて管理されている。ユーザデータ記録領域４にユーザデータが記録され、内周制御データ記録領域３及び外周制御データ記録領域５にその制御情報等が記録される。
【０００７】
ユーザデータ記録領域４にユーザデータが記録された後、再生専用ドライブ装置でも再生が可能となるように、終了処理が行われる。終了処理により、ユーザデータ記録領域４に近接する内周制御データ記録領域３に所定の半径幅以上の記録ピットが形成される。これは、再生専用ドライブ装置では、記録ピットが形成された領域しかアクセスできないことが多く、サーチ動作等でユーザデータの記録部分を超えてオーバーランした場合に、終了処理で形成された記録ピットから位置アドレスを再生してアクセス制御可能とするためである。通常は、数１００μｍ程度の半径方向の幅にわたって、このような終了処理の記録ピットが形成される。
【０００８】
光ディスク１の記録状態を示す制御情報を記録するための制御情報記録ゾーンは、一般に内周制御データ記録領域３の中に設定される。この制御情報は、ユーザデータ領域内のデータ記録位置や、サーボ制御のためのパラメータ情報、記録パワー情報など、ドライブ装置で記録再生するための必須情報である。従って、ユーザデータ以上に信頼性が確保される必要がある。また、書き換え型の光ディスクは、ユーザデータの書き換えのたびに制御情報が書き換えられる可能性があり、ユーザデータに比べて制御情報の書き換え頻度は高くなる傾向にある。
【０００９】
製品化されているＤＶＤ−ＲＷにおいては、この制御情報を記録するときの信頼性を確保するため、制御情報記録ゾーンを複数の区画に分割している。記録の方法としては、１つの区画に制御情報の記録を繰り返し行い、書き換え回数の増加によって信号特性が劣化したとき、新たに次の区画を使用して制御情報を記録するようにしている。制御情報の記録において、このように特性劣化時に記録場所を変える方法により、記録層の書き換え繰り返し回数限界よりも多くの書き換えが可能となるようにしている。
【００１０】
しかし、この方法では、当然ながら区画の使用の有無によって、記録特性が異なり、使用済みの特性が劣化した区画では、記録された信号から位置アドレスを再生することも難しくなる可能性がある。従って、ユーザデータ記録領域に近接する終了処理が必要な部分には制御情報記録ゾーンを設定することができず、内周制御データ記録領域内でもユーザデータ記録領域から離れた内周側の位置に設定しなければいけない制約が出てしまう。このため、ユーザデータの記録と制御情報の記録とを頻繁に交互に行う場合は、距離が離れていることによるアクセス時間のロスが多く発生する欠点がある。
【００１１】
ＤＶＤ−ＲＷでは、上記のような記録モードのほかに、一度だけデータの書き込みが可能な記録型光ディスクと同じ使い方が規定されている。この場合、ユーザデータを未記録領域に順次追記していくと同時に、記録されたユーザデータが所定の記録容量分増加した時に、新しい制御情報を制御情報記録ゾーンの未記録領域に追記する。制御情報記録ゾーン内の各部分は、基本的に一度記録されるだけであり、記録回数はゾーンの容量によって制限される。光ディスクを再利用するときは、このゾーンは全面一括消去して未記録領域に戻してから記録する。
【００１２】
ユーザデータ領域の追記可能部分は、基本的に記録済みの領域の次の部分に限定される。そのため、仮に最新の制御情報が良好に再生できなくても、以前の古い制御情報を再生することにより、ユーザデータ領域の状況をある程度把握することも可能となる。しかし、この場合、ユーザデータ領域の任意の位置のデータを書き換えることはできない。新しい制御情報を制御情報記録ゾーンに記録する回数が制限されるため、制御情報記録ゾーンも未記録部分への追加記録で十分になるメリットはあるが、本来の書き換え型光ディスクのもつ自由なユーザデータの書き換えが出来ない欠点がある。
【００１３】
特開２０００−０７６７８６号公報には、静止画を記録回数に限界のあるディスクに記録するディスク静止画記録方法が開示されている。ディスクには、静止画を記録する静止画記録領域と、記録する静止画のディスク上の位置を示す記録位置情報が記録される複数の記録位置情報セクタと、最終記録位置情報が書き込まれた記録位置情報セクタを特定する情報を記録するポインタセクタとが形成されている。静止画を記録するときには、ポインタセクタで特定される記録位置情報セクタの最終記録位置情報に応じて、静止画記録領域の特定位置に静止画を記録する。それとともに、記録位置情報セクタに対する記録回数が最大記録回数を超えないように、複数の記録位置情報セクタを管理しながら静止画の記録位置情報と記録位置情報セクタの記録回数とを同じ記録位置情報セクタ、または、別の記録位置情報セクタに更新記録する。別の記録位置情報セクタに記録位置情報を記録した場合には、この記録位置情報セクタを特定する情報にポインタセクタを更新記録する。
【００１４】
特開２００４−１０３０７８号公報には、再生データ領域と、制御情報領域と、を有し、制御情報はＰＥＰ（Ｐｈａｓｅ  Ｅｎｃｏｄｅｄ  Ｐａｒｔ）信号で記録されている情報記録媒体の技術が開示されている。再生データ領域には、再生すべき再生データが記録される。制御情報領域には、少なくとも再生データを再生する際に必要な再生制御情報を含む制御情報が、トラック１回転分を一単位として複数トラックに同一にＣＡＶ（Ｃｏｎｓｔａｎｔ  Ａｎｇｕｌａｒ  Ｖｅｌｏｃｉｔｙ）記録されている。ＰＥＰ信号で記録されたデータ領域のデータは、複数のエラー訂正単位に分割され、かつ、エラー訂正単位毎にエラー訂正コードがデータ領域に記録される。また、制御情報領域の制御情報としてＢＣＡ（Ｂｕｒｓｔ  Ｃｕｔｔｉｎｇ  Ａｒｅａ）信号が更に記録されている。
【００１５】
特開２００５−３２７３８５号公報には、光ディスク情報記録方法が開示されている。光ディスク媒体は、情報の記録が可能で、ユーザーデータが記録されるデータ領域と、データ領域の内側に第一のシステム領域と、データ領域の外側に第二のシステム領域とを備える。第一のシステム領域は、データ領域への記録における最適条件を設定するための第一の学習領域と、データ領域にユーザーデータに記録する情報を管理するための管理情報記録領域とを含んでいる。第二のシステム領域は、内側にユーザーデータを保護するための保護領域と、保護領域の外側にデータ領域への記録における最適条件を設定するための第二の学習領域とを含んでいる。この管理情報記録領域に、保護領域の利用状態を示す情報を記録するための領域を含んでいる。光ディスク情報記録方法は、この光ディスク媒体に記録するために、学習ステップと、記録ステップとを有する。学習ステップは、第二の学習領域および保護領域において、記録における最適条件を決定する。記録ステップは、保護領域の利用方法を示す情報を記録するための領域に保護領域の利用方法を示す情報を記録する。
【００１６】
【特許文献１】特開２０００−０７６７８６号公報
【特許文献２】特開２００４−１０３０７８号公報
【特許文献３】特開２００５−３２７３８５号公報
【発明の開示】
【発明が解決しようとする課題】
【００１７】
本発明の目的は、情報記録の書き換え回数が増えても信頼性の高い制御情報を記録する書き換え型光ディスクの記録方法及びドライブ装置を提供することにある。
【課題を解決するための手段】
【００１８】
以下に、［発明を実施するための最良の形態］で使用される番号・符号を用いて、課題を解決するための手段を説明する。これらの番号・符号は、［特許請求の範囲］の記載と［発明を実施するための最良の形態］との対応関係を明らかにするために付加されたものである。ただし、それらの番号・符号を、［特許請求の範囲］に記載されている発明の技術的範囲の解釈に用いてはならない。
【００１９】
本発明の観点では、書き換え型光ディスク記録方法は、記録可能なスパイラル状のトラック（２）を、内周側から、内周制御データ記録領域（３）、ユーザデータ記録領域（４）、及び外周制御データ記録領域（５）に分割されて管理される書き換え型の光ディスク（１）に記録する方法である。書き換え型光ディスク記録方法は、制御情報記録ゾーン設定ステップと、制御情報記録ステップと、予定区画設定ステップとを備える。制御情報は、光ディスク（１）の内周制御データ記録領域（３）、ユーザデータ記録領域（４）、及び外周制御データ記録領域（５）の記録状態を示す。制御情報記録ゾーン設定ステップは、その制御情報が記録される制御情報記録ゾーン（１２）を、内周制御データ記録領域（３）のユーザデータ記録領域（４）に近接する位置に設定する。制御情報記録ステップは、設定された制御情報記録ゾーン（１２）内に複数区画含まれる記録区画（２１）の１区画に新たな制御情報を記録する。予定区画設定ステップは、制御情報が記録区画（２１−ｉ）の１区画に記録された後に、次に制御情報が記録される予定記録区画（２１−（ｉ＋１））を設定する。
【００２０】
制御情報記録ゾーン設定ステップで設定される制御情報記録ゾーン（１２）は、終了処理時に記録ピットが形成されていることが必要になる終了処理記録領域部分（８）に設定されることが好ましい。
【００２１】
本発明では、ＥＣＣブロック（２０）は、光ディスク（１）にデータを記録するときの最小単位である。記録区画（２１）は、複数のＥＣＣブロック（２０）を含む。制御情報記録ステップは、複数のＥＣＣブロックのそれぞれに同じ前記制御情報を記録する。従って、再生の際に信頼性の向上が見込める。
【００２２】
本発明では、制御情報は、記録区画（２１）に記録される順番を示すカウント値を備える。このカウント値に基づいて、最新の制御情報か否か判定される。
【００２３】
本発明では、制御情報は、記録区画（２１）に記録された時に検出された欠陥を示す情報を更に備えてもよい。この欠陥情報に基づいて欠陥制御を行うことができる。
【００２４】
本発明の予定区画設定ステップは、制御情報が記録される毎に、１区画ずつ外周側の記録区画（２１）を予定記録区画に設定するステップを含む。また、本発明の予定区画設定ステップは、最外周側の記録区画（２１−ｎ）に制御情報が記録されたとき、最内周側の記録区画（２１−１）を予定記録区画に割り当てるステップを含む。従って、制御情報記録ゾーン（１２）は循環的に使用されることになり、局所的に特性の劣化が進むことが無くなる。
【００２５】
本発明の書き換え型光ディスク記録方法は、さらに、複製ゾーン設定ステップと、複製記録ステップとを備える。複製ゾーン設定ステップは、制御情報記録ゾーン（１２）の内周側に制御情報の複製が記録される制御情報複製ゾーン（１３）を設定する。複製記録ステップは、複製制御情報を制御情報複製ゾーン（１３）に記録する。複製制御情報は、最新の制御情報と、最新の制御情報が記録された記録区画（２１）を示す位置情報とを含む。
【００２６】
この制御情報複製ゾーン（１３）は、複数のＥＣＣブロック（２０）を含む。複製記録ステップは、制御情報複製ゾーン（１３）に含まれる複数のＥＣＣブロックのうちの１ブロック（２０）に複製制御情報を記録するステップを含む。また、制御情報複製ゾーン（１３）に含まれるＥＣＣブロック（２０）のブロック数は、制御情報記録ゾーン（１２）内に含まれる記録区画（２１）の区画数の１０分の１より少ないことが好ましい。
【００２７】
複製記録ステップは、光ディスク（１）が排出されるときに、複製制御情報を制御情報複製ゾーン（１３）に記録するステップを含む。また、複製記録ステップは、制御情報複製ゾーン（１３）に含まれる複数のＥＣＣブロック（２０）を循環的に使用することが好ましい。光ディスクの排出まで複製制御情報を記録しないようにすることにより、また、循環的に使用することにより、制御情報複製ゾーン（１３）のＥＣＣブロック当たりの記録回数を削減することができる。
【００２８】
本発明の他の観点では、光ディスクドライブ装置は、記録可能なスパイラル状のトラック（２）を有する光ディスク（１）を、内周側から、内周制御データ記録領域（３）、ユーザデータ記録領域（４）、外周制御データ記録領域（５）に分割して管理し、光ヘッド（３１）と、信号検出部（３４）と、アドレス判定部（３５）と、制御情報記録部（３６）とを具備する。光ヘッド（３１）は、光ディスク（１）にレーザ光を照射して情報を記録し、光ディスク（１）で反射された反射光に基づいて、記録されている情報の再生信号を再生する。信号検出部（３４）は、その再生信号に基づいて、光ディスク（１）のアドレスを示す信号を抽出する。アドレス判定部（３５）は、アドレスを示す信号に基づいて、光ディスク（１）内の位置を特定する。制御情報記録部（３６）は、アドレス判定部（３５）により特定された内周制御データ記録領域（３）のうちのユーザデータ記録領域（４）に近接する位置に設定された制御情報記録ゾーン（１２）に複数区画含まれる記録区画（２１）の１区画に光ディスク（１）の記録状態を示す制御情報を、光ヘッド（３１）を介して記録する。また、制御情報記録部（３６）は、次に制御情報を記録する予定記録区画を設定する。
【００２９】
本発明の制御情報記録部（３６）は、複数区画含まれる記録区画（２１）を１区画ずつ循環的に予定記録区画に割り当てる。
【００３０】
本発明の制御情報記録部（３６）は、制御情報記録ゾーン（１２）よりも内周側に設けられた制御情報複製ゾーン（１３）に複製制御情報を記録する。複製制御情報は、最新の制御情報と、最新の制御情報が記録された記録区画の位置を示す情報とを含む。
【００３１】
制御情報複製ゾーン（１３）は、複数のＥＣＣブロック（２０）を含み、そのブロック数は、制御情報記録ゾーン（１２）に含まれる記録区画（２１）の区画数より少ないことが好ましい。制御情報記録部（３６）は、制御情報複製ゾーン（１３）に含まれる複数のＥＣＣブロックのうちの１ブロック（２０）に複製制御情報を記録する。特に、光ディスク（１）が排出されるとき、制御情報記録部（３６）は、複製制御情報を記録することが好ましく、制御情報複製ゾーンに記録する回数を削減することができる。また、制御情報記録部（３６）は、制御情報複製ゾーン（１３）に含まれる複数のＥＣＣブロック（２０）を循環的に使用して複製制御情報を記録することが好ましい。
【発明の効果】
【００３２】
本発明によれば、情報記録の書き換え回数が増えても信頼性が高く効率的な制御情報の記録を行うことのできる書き換え型光ディスクの記録方法及びドライブ装置を提供することができる。
【発明を実施するための最良の形態】
【００３３】
以下に添付図面を参照して、本発明の書き換え型光ディスクの記録方法及びドライブ装置について説明する。
【００３４】
図１に本発明の実施の形態に係るドライブ装置の構成例を示す。ドライブ装置は、スピンドル３０、光ヘッド３１、信号検出回路３４、アドレス判定回路３５、制御情報記録回路３６を具備する。ここでは、書き換え型の光ディスク１に制御情報を記録する部分が示され、他は省略されている。
【００３５】
スピンドル３０は、光ディスク１を回転駆動する。光ヘッド３１は、照射したレーザ光が回転する光ディスク１で反射された反射光に基づいて光ディスク１に記録された情報の再生信号を再生する。また、光ヘッド３１は、強いレーザ光を照射して光ディスク１に情報を記録し、或いは消去する。
【００３６】
光ヘッド３１により再生された再生信号は、信号検出器３４に入力される。信号検出器３４は、再生信号に基づいて光ディスク１のアドレスを示す信号を抽出し、アドレス判定回路３５に供給する。アドレス判定回路３５は、光ディスク１のアドレスを示す信号に基づいて、各種領域やゾーンの位置を特定する。制御情報記録回路３６は、特定された光ディスク１上の制御情報記録ゾーン及び制御情報複製ゾーン等に必要な制御情報を記録する。
【００３７】
光ディスク１の記録領域の構成例が図２に示される。光ディスク１には、その記録面にスパイラル状の記録トラック２が形成されている。図２の下方に、光ディスク１の記録トラック２が形成されている部分ＡＡ’の断面が示される。光ヘッド３１から照射されたレーザ光は、光ディスク１の透明層７を介して、情報が記録される記録層６に集光スポットを形成する。記録層６として、例えば、ＧｅＳｂＴｅの化合物の相変化材料をＳｉＮの誘電体保護層で挟んだ多層膜が用いられる。透明層７としては、ポリカーボネートの基板に射出成形で記録トラック用のグルーブを形成したものが利用できる。
【００３８】
図２の断面ＡＡ’に示されるように、記録トラック２は、内周側から、内周制御データ記録領域３、ユーザデータ記録領域４、外周制御データ記録領域５に分割されて管理される。各領域内は、図３に示されるように、さらに各ゾーンに分割されて管理される。
【００３９】
内周制御データ記録領域３には、ユーザデータ記録領域４側（外周側）から、再生情報記録ゾーン１１、制御情報記録ゾーン１２、制御情報複製ゾーン１３、テスト記録ゾーン１４が設けられている。これらのゾーンのうち、再生情報記録ゾーン１１と制御情報記録ゾーン１２とは、終了処理部分８に含まれる。終了処理部分８は、再生専用ドライブ装置との互換を確保するため、終了処理により記録ピットが形成されるべき部分である。
【００４０】
再生情報記録ゾーン１１は、再生専用ドライブ装置が読み出す領域であり、ユーザデータ記録領域４の記録状態を知るための情報が記録されている。再生情報記録ゾーン１１には記録装置がユーザデータ記録の終了処理として少量のデータを記録するだけで良いため、その領域としてわずかな領域が確保されるだけで十分である。制御情報記録ゾーン１２と制御情報複製ゾーン１３との詳細は後述するが、ユーザデータ記録領域４にユーザデータを記録するための管理用情報が格納される領域である。テスト記録ゾーン１４は、ドライブ装置が試し記録を行い、記録パワー等の最適な記録条件を探索するための領域である。
【００４１】
内周制御データ記録領域３の領域のさらに内周側に、エンボスピットによる再生専用領域が形成されることもある。この再生専用領域にはディスク情報や著作権保護のための情報が記録されてもよい。
【００４２】
外周制御データ記録領域５には、ユーザデータ記録領域４側（内周側）から、ガードゾーン１７とテスト記録ゾーン１６とが設けられている。ガードゾーン１７は、再生専用ドライブ装置が外周側にオーバーランした場合にも制御可能とするため、ユーザデータの記録が終わった後に記録ピットが追加形成されるために確保されている。テスト記録ゾーン１６は、内周制御データ記録領域３に配置されるテスト記録ゾーン１４と同じように、ドライブ装置が試し記録を行い、記録パワー等の最適な記録条件を探索するための領域である。
【００４３】
次に、制御情報記録ゾーン１２及び制御情報複製ゾーン１３の領域構成が説明される。光ディスク１への記録や再生は、通常、元になるデータにエラー訂正符号が付加されたＥＣＣブロックを最小単位として行われる。このＥＣＣブロックの有効データ量は、例えば、ＤＶＤ規格では３２キロバイトであり、ＨＤ  ＤＶＤ規格では６４キロバイトとなっている。ＥＣＣブロックは、制御情報を格納するに充分な容量を持っている。従って、制御情報記録ゾーン１２、制御情報複製ゾーン１３の記録もこのＥＣＣブロック単位に行われる。
【００４４】
図４に制御情報記録ゾーン１２及び制御情報複製ゾーン１３の領域構成例が、このＥＣＣブロックを単位として示される。図４（ａ）に示されるように、制御情報複製ゾーン１３は、７ブロックのＥＣＣブロック２０を備え、制御情報記録ゾーン１２は、４ブロックのＥＣＣブロック２０を含む記録区画２１を１００区画程度備える。
【００４５】
１区画の記録区画２１には、同じ内容の制御情報が４回ずつ記録される。即ち、ＥＣＣブロック２０毎に制御情報が記録され、記録区画２１の４つのＥＣＣブロック２０は同じ内容を保持する。このように、同じ制御情報が複数のＥＣＣブロック２０に記録されることにより、再生時の信頼性が向上するようにできる。
【００４６】
１区画の記録区画２１に含まれるＥＣＣブロック２０の数は、記録媒体の信頼性と記録に必要な時間を考慮して決定される。ビットエラーレートが１×１０−５程度の実用的な相変化光ディスクにおいては、数ブロックから８ブロック程度が適当な値となる。従って、ここでは４ブロックとして例示される。
【００４７】
制御情報記録ゾーン１２内における記録区画２１に制御情報を記録する順序は、図４（ｂ）に示されるように、循環的に行われる。制御情報の記録は、内周側の記録区画２１−１から順に行われる。新しい制御情報の記録が必要になるごとに、記録区画２１−２、−３、…というように、順次外周側の記録区画２１が１つずつ使用される。記録区画２１の区画数がｎ区画であるとすると、制御情報が記録される記録区画２１は、ｎ回目の記録で最外周側の記録区画２１−ｎに達する。次のｎ＋１番目の制御情報の記録は、また、最も内周側の記録区画２１−１に行われる。このように、制御情報記録ゾーン１２は、内周側から外周側にわたって記録区画２１がサイクリックに使用される。このようなサイクリックな利用により、制御情報の記録回数は、制御情報記録ゾーン１２の容量により制限されることが無くなる。さらに、制御情報記録ゾーン１２内の全ての記録区画２１において、書き換え回数がほぼ一様となるため、繰り返しによる記録特性の劣化が局所的に発生することを防止することが可能となる。
【００４８】
さらに、記録特性が劣化するまで、制御情報記録ゾーン１２のほぼ全域で信号再生が確保されるため、ユーザデータ記録領域４に近い領域であって終了処理をしなければならない領域に制御情報記録ゾーン１２を設定することが可能となる。このため、ユーザデータ記録領域４と制御情報記録ゾーン１２との交互アクセス時のアクセス時間が短縮され、ユーザデータの記録処理時間を短縮することが可能となる。
【００４９】
終了処理が必要な領域に制御情報を記録することが可能であるため、制御情報記録ゾーン１２に備える記録区画２１の区画数は、終了処理が必要な領域幅が確保できる程度の数を考慮すればよい。また、終了処理が実施される時点において、未記録の記録区画２１が制御情報記録ゾーン１２内に残っている場合は、終了処理として最新の制御情報をその未記録の記録区画２１に記録することになる。このサイクリックな記録方法によれば、隣接する記録区画２１に次々と記録していくため、比較的短時間に制御情報記録ゾーン１２内の全ての記録区画２１は記録済みになる。従って、１箇所の記録区画２１が使用できなくなるまで記録してから次の記録区画２１に移動する場合に比べ、終了処理の時点で記録しなければならない未記録の記録区画２１の区画数は少なくなる。即ち、終了処理の時間も短縮することができる。
【００５０】
また、例えば、記録区画２１−ｉにおいて特性劣化や記録不良が発生した場合、次の記録区画２１−（ｉ＋１）に再度同じ制御情報を記録し直すことも容易である。さらに、その欠陥記録区画２１−ｉの位置を制御情報に含めて記録することにより、サイクリックに使用されて次に同じ位置の記録区画２１−ｉに記録するようになった時、その区画をスキップするような欠陥制御を行うことも可能となる。
【００５１】
制御情報複製ゾーン１３は、図４に示されるように、制御情報記録ゾーン１２の内周側に設けられる。制御情報複製ゾーン１３には、最新の制御情報の複製が、最新の制御情報が記録された記録区画の位置情報とともに記録される。制御情報複製ゾーン１３は、最新の制御情報の検索を高速化する目的で設けられる。制御情報には、新しい情報に更新されるたびに歩進されるカウンタ値が含まれる。制御情報記録ゾーン１２内の最新の制御情報の検索は、このカウンタ値が最多のものを見つけ出すことで実現できる。しかし、１００区画前後の記録区画２１の全体から検索することは、それなりに時間が必要となる。
【００５２】
本発明では、光ディスクの終了処理、或いは、ドライブ装置から光ディスクが取り出される時に、最新の制御情報の複製が、最新の制御情報が記録される記録区画２１の位置情報とともに制御情報複製ゾーン１３に記録される。光ディスクを装填されたドライブ装置は、まず、この制御情報複製ゾーン１３を再生することにより、最新の制御情報やその記録位置を容易に知ることができる。
【００５３】
検索の高速化が目的であるため、制御情報複製ゾーン１３に記録される制御情報は、１ブロックのＥＣＣブロック２０にのみ記録される。また、書き換え回数を確保するため、制御情報複製ゾーン１３は、複数のＥＣＣブロック２０を含む。複数のＥＣＣブロック２０に記録する順序は、制御情報記録ゾーン１２と同じように、内周側から外周側に向かって１ブロックずつ記録するという過程をサイクリックに繰り返す方法とする。また、そのＥＣＣブロック２０のブロック数は、記録区画２１の区画数より少なくし、検索時間が短くなるように設定される。例えば、図４に示されように、記録区画２１が１００区画程度に対して、制御情報複製ゾーン１３のＥＣＣブロック２０が７ブロックというように、記録区画２１の区画数の１／１０以下にすることにより、制御情報記録ゾーン１２を直接検索する場合に比べて、１桁以上早い検索時間を実現することができる。また、それと同時に適当な繰り返し記録回数も確保することができる。
【００５４】
次に、図５、図６を参照してドライブ装置の動作が説明される。図５は、ドライブ装置によりユーザデータが記録される光ディスクの記録状態の変化を説明するための図である。図６は、ドライブ装置の動作を説明するためのフローチャートである。
【００５５】
ドライブ装置に光ディスク１が装填されると（ステップＳ１１）、ドライブ装置は、光ディスク１の制御情報複製ゾーン１３に記録されている複製制御情報を読み出す（ステップＳ１２）。既に光ディスク１に記録が行われていれば、ドライブ装置は、光ディスク１の制御情報複製ゾーン１３に記録されている全ての複製制御情報を読み出す。また、未記録の光ディスク１であれば、記録されている制御情報が無いため、制御情報には初期値が設定される。その場合、制御情報の記録には制御情報記録ゾーン１２の最も内周側の記録区画２１が使用されるように設定される。設定された制御情報に基づいて、ドライブ装置は、各領域の使用する位置を設定する。
【００５６】
複製制御情報には、制御情報と、制御情報が記録されている制御情報記録ゾーン１２の位置情報とが含まれ、制御情報には、カウンタ値が含まれている。本実施の形態では、制御情報複製ゾーン１３は、７ブロックのＥＣＣブロック２０を備えるため、７つのカウンタ値が得られる。その中の最大のカウンタ値を有する複製制御情報が最新の複製制御情報である。最新の制御情報と共に格納されている位置情報に基づいて、制御情報記録ゾーン１２に記録されている制御情報の記録区画２１が特定される（ステップＳ１４）。
【００５７】
各領域が特定できると、ドライブ装置は、内周側のテスト記録ゾーン１４を使用して記録パワーの最適化調整を行う。テスト記録ゾーン１４は、外周側の領域１４１から順次試し記録に使用されていく（ステップＳ１５）。
【００５８】
記録パワーが調整されると、ユーザデータがユーザデータ記録領域４の内周側から記録され、記録部分４０１が形成される（ステップＳ１６）。ユーザデータの記録の区切りにおいて、制御情報記録ゾーン１２の記録区画２１にも順次制御情報が記録され、制御情報記録ゾーン１２に記録済み領域１２１が形成される（ステップＳ１８）。
【００５９】
ユーザデータの記録が終了するまでステップＳ１６、ステップＳ１８を繰り返し、ユーザデータ記録領域４内の記録部分４０１は外周側に向かって延びていき、制御情報が追記されていく（ステップＳ２１−Ｎ）。このとき、ドライブ装置は、必要に応じて内周側のテスト記録ゾーン１４及び外周側のテスト記録ゾーン１６を利用して記録条件の調整を行う。
【００６０】
図５（ｂ）に示されるように、ユーザデータ記録領域４にユーザデータが記録されて記録部分４０２が形成される。また、制御情報記録ゾーン１２に制御情報が記録されて記録部分１２２が形成される。さらに、テスト記録ゾーン１４の領域１４２及びテスト記録ゾーン１６の領域１６２が使用済み状態になる。この段階でユーザデータの記録が終了した場合（ステップＳ２１−Ｙ）、次に終了処理を行う。
【００６１】
終了処理の対象は、図５（ｃ）に示されるように、内周制御データ記録領域３のユーザデータ記録領域４側の終了処理部分８、及び、ユーザデータが記録された部分４０２の外周側の終了処理部分４０３である。終了処理部分８は、再生情報記録ゾーン１１と制御情報記録ゾーン１２とを含み、この領域の未記録部分に所定の情報が記録される。終了処理により、終了処理部分８は、全て記録済み状態になる。未記録部分が無ければ、記録は省略できる。
【００６２】
ユーザデータが記録された部分４０２の外周側の終了処理部分４０３は、所定の半径方向の幅にわたって所定のデータが記録される。この部分の幅は、ユーザデータ記録領域４の内周側の終了処理部分８より狭くてもよく、５０μｍ程度とすることも可能である。なお、ユーザデータ記録領域４が全てユーザデータにより記録済みになった場合は、外周のガードゾーン１７にこの終了処理部分４０３が設定されることになる（ステップＳ２３）。
【００６３】
また、このとき、最新の制御情報の複製が、最新の制御情報が記録される位置を示す情報とともに、制御情報複製ゾーン１３に循環的に記録される（ステップＳ２５）。未記録部分に記録する終了処理と、制御情報複製ゾーン１３に複製制御情報を記録する処理とは、どちらが先に実施されてもよい。
【００６４】
このような記録過程により、再生専用のドライブ装置でも対応可能な記録済み光ディスク１が生成され、その光ディスク１はドライブ装置から取り出され、記録処理が終了する（ステップＳ２６）。
【００６５】
以上の例では、ユーザデータは内周側から連続して記録されていくことが想定されているが、ユーザデータ記録領域４内でランダムに記録することも可能である。この場合は、離散的にユーザデータが記録されている領域部分の間の未記録領域部分は、終了処理を行うまでにすべて記録済みとしておく処理が必要となる。
【００６６】
また、制御情報の更新処理、即ち、新しい制御情報を制御情報記録ゾーン１２に記録する処理は、通常、制御情報内のデータが変更されたときに行われるが理想である。しかし、無用な書き換え回数を出来るだけ減らすため、ドライブ装置は、変更された制御情報を装置内のメモリに格納し、光ディスクの排出や電源の切断が行われる時にのみ光ディスクに記録を行うことも可能である。
【００６７】
以上、単層の書き換え型光ディスクを例にして述べたが、２層の記録層を有する書き換え型光ディスクにおいても、一方の記録層の内周側にユーザデータ領域に近接した制御情報記録ゾーンを設定することにより、同様の記録方法およびドライブ装置を適用可能である。
【図面の簡単な説明】
【００６８】
【図１】本発明の実施の形態に係るドライブ装置の構成例を示すブロック図である。
【図２】同書き換え型光ディスクの構成例を示す図である。
【図３】同ゾーン配置を説明する図である。
【図４】同ゾーン内のブロック構成例を示す図である。
【図５】同書き換え型光ディスクの記録状態の変化を説明する図である。
【図６】同ドライブ装置の動作例を示す図である。
【符号の説明】
【００６９】
１  光ディスク
２  記録トラック
３  内周制御データ記録領域
４  ユーザデータ記録領域
５  外周制御データ記録領域
６  記録層
７  透明層
８  終了処理部分
１１  再生情報記録ゾーン
１２  制御情報記録ゾーン
１３  制御情報複製ゾーン
１４  内周側テスト記録ゾーン
１６  外周側テスト記録ゾーン
１７  ガードゾーン
２０  ＥＣＣブロック
２１  記録区画
３０  スピンドル
３１  光ヘッド
３４  信号検出回路
３５  アドレス判定回路
３６  制御情報記録回路
１２１、１２２、１２３  制御情報記録ゾーンの記録済み部分
１４１、１４２、１６２  テスト記録ゾーンの記録済み部分
４０１、４０２  ユーザデータ記録領域のユーザデータ記録済み部分
４０３  ユーザデータ記録領域の終了処理部分
【図１】
2007257686.tif 000003
【図２】
2007257686.tif 000004
【図３】
2007257686.tif 000005
【図４】
2007257686.tif 000006
【図５】
2007257686.tif 000007
【図６】
2007257686.tif 000008